(57)【要約】【課題】集塵部蓋において、集塵室の開口部を覆った状態で付勢手段により変形することなく、尾錠を解除して付勢手段により開口部の全開状態まで開くことを可能にすること。【解決手段】開口部８を有する集塵室４と、本体１に軸支され開口部８を開閉自在に覆う集塵部蓋９と、集塵部蓋９を開口部８の開口方向に付勢するねじりコイルバネ（付勢手段）１３と、集塵部蓋９が開口部８を覆った状態で、集塵部蓋９を係止する尾錠１６とを備え、集塵部蓋９の重心位置を、尾錠１６と集塵部蓋９の回動軸１０との中心位置より、集塵部蓋９の回動軸１０側に設け、尾錠１６を解除した際に、集塵部蓋９がねじりコイルバネ１３により付勢されて、開口部８を全開にする構成としたもので、集塵部蓋９の重心位置が回動軸１０に近いため、ねじりコイルバネ１３のトルクが小さくても開口部８を全開に出来、また集塵部蓋を変形させることもない使い勝手のよい電気掃除機を提供できる。【選択図】図２
2007105152.tif 000002
【特許請求の範囲】
【請求項１】
吸引風を発する電動送風機を内蔵する本体と、前記本体内に設けられ開口部を有する集塵室と、前記本体に軸支され前記開口部を開閉自在に覆う集塵部蓋と、前記集塵部蓋を前記開口部の開口方向に付勢する付勢手段と、前記集塵部蓋が前記開口部を覆った状態で、前記集塵部蓋を係止する尾錠とを備え、前記集塵部蓋の重心位置を、前記尾錠と前記集塵部蓋の回動軸との中心位置より、前記集塵部蓋の回動軸側に設け、前記尾錠を解除した際に、前記集塵部蓋が前記付勢手段により付勢されて、前記開口部を全開にする構成とした電気掃除機。
【請求項２】
集塵部蓋の回動軸に対して尾錠位置とは逆の前記集塵部蓋の位置に、前記集塵部蓋を開口部の開口方向に付勢する付勢用おもり材を備えた請求項１記載の電気掃除機。
【請求項３】
集塵部蓋が開口部を全開にしたときに、前記集塵部蓋が本体と当接すると共に、前記当接する部分に緩衝材を設けた請求項１または２に記載の電気掃除機。
【請求項４】
尾錠と集塵部蓋回動軸との間の、本体接地面に対し水平方向に測定した距離の内、前記回動軸側より少なくとも３分の１の長さの範囲に、付勢手段であるコイルバネの一端を当接させて付勢した請求項１〜３のいずれか１項に記載の電気掃除機。
【請求項５】
集塵部蓋に回動軸を投影した軸幅で尾錠方向に向かう範囲の一部に、付勢手段であるコイルバネの一端を当接させて付勢した請求項１〜４のいずれか１項に記載の電気掃除機。
【発明の詳細な説明】
【技術分野】
【０００１】
本発明は、集塵部蓋を付勢手段により回転付勢した、電気掃除機に関するものである。
【背景技術】
【０００２】
従来の電気掃除機について、図９を用いて説明する。
【０００３】
従来の電気掃除機は、集塵部蓋が本体に軸支され、集塵部蓋のバネ支え軸にひねりバネが嵌合され集塵部蓋を上へ押し上げるように付勢している。また吸気口を集塵部蓋前部に備えている。
【０００４】
上記のような構成で、集塵部蓋を開き本体内の塵埃を取り出して廃棄を行い集塵部蓋を閉める際に、ひねりバネの付勢によって集塵部蓋が本体に倒れることを防止するものであった（例えば、特許文献１参照）。
【特許文献１】実公平５−２５５６２号公報
【発明の開示】
【発明が解決しようとする課題】
【０００５】
しかしながら、上記構成では、集塵部蓋は吸気口を集塵部蓋前部に備えており、集塵部蓋の重量も重いため、ひねりバネは集塵部蓋が本体に倒れることを防止するのみで、重い集塵部蓋を開く際には掃除を行っている人の大きな開力が必要であった。また集塵部蓋が、集塵室の全開になる状態までひねりバネを強くすると、塵埃廃棄を行う時以外の集塵部蓋の閉状態において、ひねりバネが強すぎるため、集塵部蓋のひねりバネにより付勢されている部分が大きく変形し外観品位が損なわれるとともに、集塵部蓋が上方に押し上げられるため集塵部蓋と集塵室の間に隙間が発生して気密性が無くなり、電気掃除機としては致命的な吸引力が低下してしまう。
【０００６】
本発明は上記課題を解決するもので、集塵部蓋の閉状態においては、付勢手段により集塵部蓋を変形させることなく、塵埃廃棄時には尾錠を解除するだけで集塵部蓋を自動的に全開状態まで開くことのできる、使い勝手のよい電気掃除機を提供することを目的とする。
【課題を解決するための手段】
【０００７】
上記従来の課題を解決するために本発明は、吸引風を発する電動送風機を内蔵する本体と、前記本体内に設けられ開口部を有する集塵室と、前記本体に軸支され前記開口部を開閉自在に覆う集塵部蓋と、前記集塵部蓋を前記開口部の開口方向に付勢する付勢手段と、前記集塵部蓋が前記開口部を覆った状態で、前記集塵部蓋を係止する尾錠とを備え、前記集塵部蓋の重心位置を、前記尾錠と前記集塵部蓋の回動軸との中心位置より、前記集塵部蓋の回動軸側に設け、前記尾錠を解除した際に、前記集塵部蓋が前記付勢手段により付勢されて、前記開口部を全開にする構成としたもので、集塵部蓋の閉状態においては、付勢手段により集塵部蓋を変形させることなく、塵埃廃棄時には尾錠を解除するだけで集塵部蓋を自動的に全開状態まで開くことのできる、使い勝手のよい電気掃除機を提供するものである。
【発明の効果】
【０００８】
上記発明によれば、集塵部蓋の閉状態においては、付勢手段により集塵部蓋を変形させることなく、塵埃廃棄時には尾錠を解除するだけで集塵部蓋を自動的に全開状態まで開くことのできる、使い勝手のよい電気掃除機を提供できる。
【発明を実施するための最良の形態】
【０００９】
第１の発明は、吸引風を発する電動送風機を内蔵する本体と、前記本体内に設けられ開口部を有する集塵室と、前記本体に軸支され前記開口部を開閉自在に覆う集塵部蓋と、前記集塵部蓋を前記開口部の開口方向に付勢する付勢手段と、前記集塵部蓋が前記開口部を覆った状態で、前記集塵部蓋を係止する尾錠とを備え、前記集塵部蓋の重心位置を、前記尾錠と前記集塵部蓋の回動軸との中心位置より、前記集塵部蓋の回動軸側に設け、前記尾錠を解除した際に、前記集塵部蓋が前記付勢手段により付勢されて、前記開口部を全開にする構成としたもので、集塵部蓋の重心位置を回動軸の近い位置になるよう構成したため、集塵部蓋を回動軸を中心に回動させ全開状態にするためのトルクが小さく、付勢手段の付勢力を小さくできるため、集塵部蓋の閉状態においては、付勢手段の付勢力により集塵部蓋を変形させることがなく、塵埃廃棄時には、開力を加えなくても尾錠を解除するだけで、集塵部蓋を付勢力により自動的に全開状態まで開くことができるため、使い勝手を向上できる。
【００１０】
第２の発明は、第１の発明の集塵部蓋の回動軸に対して尾錠位置とは逆の前記集塵部蓋の位置に、前記集塵部蓋を開口部の開口方向に付勢する付勢用おもり材を備えたもので、集塵部蓋回動軸を支点として付勢用おもり材により開口方向にトルクが発生しトルクを分散することができ、付勢用おもり材以外の付勢力を小さくすることができるため、集塵部蓋の閉状態においては、より確実に付勢手段の付勢力による集塵部蓋の変形を防止でき、使い勝手を向上できる。
【００１１】
第３の発明は、第１または第２の発明の集塵部蓋が開口部を全開にしたときに、前記集塵部蓋が本体と当接すると共に、前記当接する部分に緩衝材を設けたもので、集塵部蓋の全開時に、本体との間に緩衝材が介在することにより回転が停止する際に、回転による衝撃力が緩衝材により緩和されるため、本体が衝撃により後方に転倒等することなく、さらに集塵部蓋回動軸に強い応力が加わり軸が折れて破損したりすることがないため、集塵部蓋を付勢力により自動的に開き、さらに全開状態で確実に停止させることができ、使い勝手を向上できる。
【００１２】
第４の発明は、第１〜第３のいずれか１つの発明の尾錠と集塵部蓋回動軸との間の、本体接地面に対し水平方向に測定した距離の内、前記回動軸側より少なくとも３分の１の長さの範囲に、付勢手段であるコイルバネの一端を当接させて付勢したもので、付勢手段と集塵部蓋の当接面積を大きく取る事により、付勢手段の応力が分散され１箇所に掛かる応力を小さくできるとともに、さらに回動軸からの距離が長くなることによりトルクも大きくできるため、より付勢手段による付勢力を小さくすることが可能であり、集塵部蓋の閉状態においては、確実に付勢手段により集塵部蓋を変形させることがなく、使い勝手を向上できる。
【００１３】
第５の発明は、第１〜第４のいずれか１つの発明の集塵部蓋に回動軸を投影した軸幅で尾錠方向に向かう範囲の一部に、付勢手段であるコイルバネの一端を当接させて付勢したもので、集塵部蓋が閉状態では、付勢されるポイントが回動軸の軸幅の範囲内にあるため、回動軸による嵌合が付勢力の抗力となり、より確実に集塵部蓋の変形を防止でき、使い勝手を向上できる。
【００１４】
以下、本発明の実施の形態について、図面を参照しながら説明する。なお、この実施の形態によりこの発明が限定されるものではない。
【００１５】
（実施の形態１）
本発明の第１の実施の形態について、図１〜図３を用いて説明する。
【００１６】
図１は第１の実施の形態における電気掃除機の全体斜視図、図２は集塵部蓋が閉状態での同掃除機本体の側面断面図、図３は集塵部蓋が全開状態での同掃除機本体の側面断面図を示す。図１〜図３において、本体１は、吸引風を発生させる電動送風機２と、電動送風機２の吸引風の上流側には集塵体である紙袋３を収納するための集塵室４を設けている。さらに紙袋３の上流側には、ホース５の一端が接続され、他端には延長管６を介して床用吸込み口７を接続している。
【００１７】
次に集塵部蓋を自動で開く構成の詳細について説明する。
【００１８】
図４に集塵部蓋全開状態における、回動軸周辺の詳細断面図、図５に集塵部蓋が全開状態での全体斜視図、図６に同掃除機の回動軸周辺の拡大斜視図を示す。
【００１９】
本体１は、集塵室４の開口部８を開閉自在に覆う集塵部蓋９を備え、回動軸１０により集塵部蓋９を軸支している。開口部８はパッキン体１１を介し集塵部蓋９と密着し、集塵室４を密閉状態としている。また、本体１は付勢手段の取付け軸１２を備え、取付け軸１２にねじりコイルバネ１３を配置し、集塵部蓋９を開方向に付勢する付勢手段としている。また、開口部８が全開（開口部を地面と垂直な上方から見た際に、開口部の一部が隠れることなく、その全てが見える状態）になる位置では集塵部蓋９のストッパー部１４が本体１に備えたウレタンゴムによる緩衝材１５に当接し回転を止める構成としている。一方、集塵部蓋９の一端には段発的に係合した尾錠１６を設け、集塵部蓋９が閉止状態では、バネ１７により本体１に設けた爪部１８の係止方向に付勢されて係止を行い閉状態を保つ。さらに回動軸１０に対し尾錠１６の逆の位置であるストッパー部１４近傍に、おもり材１９を設けている。
【００２０】
特に、集塵部蓋９は、外観性向上のための飾り窓２０や吸引による変形防止用リブ２１等の構造物を回動軸１０近傍に構成することにより、集塵部蓋９の重心位置を、尾錠１６と回動軸１０の中心位置より、回動軸１０側になるよう配慮を行っている。
【００２１】
ねじりコイルバネ１３は、尾錠１６と回動軸１０の、本体１設置面（地面）に対し各鉛直線の間の範囲において、回動軸より３分の１の範囲を付勢しており、さらにねじりコイルバネ１３を屈曲ポイント２２で屈曲させることにより、回動軸１０に垂直で、かつ回動軸１０の軸幅の範囲を付勢する構成としている。
【００２２】
以上のように構成された電気掃除機について、以下その動作、作用を説明する。
【００２３】
尾錠１６を解除すると、ねじりコイルバネ１３の付勢力により集塵部蓋９は開放状態へと回動し、集塵室４の開口部８が全開状態となる位置でストッパー部１４が緩衝材１５に当接し止まる。この際、集塵部蓋９の重心位置を回動軸１０に近い位置になるよう構成したため、集塵部蓋９を全開状態にするためのトルクが小さく、ねじりコイルバネ１３の付勢力を小さくできるため、集塵部蓋９の閉状態においては、ねじりコイルバネ１３の付勢力により集塵部蓋９を変形させることがないため、変形により外観性を損なうこともなく、さらに集塵部蓋９とパッキン体１１の間に隙間が開かず集塵室４は密閉状態を保つことができるため、吸引力が低下することもない。
【００２４】
また、集塵部蓋９にはおもり材１９により回動軸１０を支点として開口方向にトルクが発生してトルクを分散することができるため、ねじりコイルバネ１３の付勢力を小さくすることができ、集塵部蓋の閉状態においては、より確実にねじりコイルバネ１３の付勢力による集塵部蓋９の変形を防止できる。
【００２５】
さらに、緩衝材１５により回転による衝撃力が緩和されるため、本体１が衝撃により後方に転倒等することなく、さらに回動軸１０に強い応力が加わり軸が折れて破損したりすることもない。
【００２６】
一方、尾錠１６と回動軸１０の、本体接地面（地面）に対し各鉛直線の間の範囲において、回動軸１０側より３分の１の範囲をねじりコイルバネにより付勢しているため、ねじりコイルバネ１３と集塵部蓋９の当接面積が大きく、応力が分散され１点に掛かる応力を小さくできるとともに、さらに回動軸１０からの距離が長くなることによりトルクも大きくできるため、ねじりコイルバネの付勢力を小さくすることが可能である。
【００２７】
さらにねじりコイルバネ１３に付勢されるポイントが回動軸１０の軸幅の範囲内にあるため、回動軸１０による嵌合が付勢力の抗力となり、より確実に集塵部蓋の変形を防止できる。
【００２８】
（実施の形態２）
本発明の第２の実施の形態について、図７、図８を用いて説明する。なお、実施の形態１と同一部分については同一符号を付してその説明を省略する。
【００２９】
図７は本実施の形態における電気掃除機の回動軸周辺の拡大斜視図、図８は同電気掃除機のＡ−Ａ断面図を示す。本体１ならびに集塵部蓋９は付勢手段取付け用の本体軸２３、集塵部蓋軸２４を備え、本体軸２３に２個、集塵部蓋軸２４に２個、合計４個のねじりコイルバネ１３を備えている。
【００３０】
以上のように構成された電気掃除機について、以下その動作、作用を説明する。
【００３１】
尾錠１６を解除すると、集塵部蓋９は４個のねじりコイルバネ１３の付勢力により自動的に全開状態まで回動する。また、集塵部蓋９が閉止状態では、４個のねじりコイルバネ１３を用いることにより１つ１つの付勢力を小さくできるため、より確実に集塵部蓋９の変形を防止できる。
【産業上の利用可能性】
【００３２】
以上のように、本発明にかかる電気掃除機は、集塵部蓋の閉状態においては、付勢手段により集塵部蓋を変形させることなく、塵埃廃棄時には尾錠を解除するだけで集塵部蓋を自動的に全開状態まで開くことができるため、家庭、業務用等の電気掃除機に幅広く応用できる。
【図面の簡単な説明】
【００３３】
【図１】本発明の実施の形態１を示す電気掃除機の全体斜視図
【図２】同電気掃除機本体の集塵部蓋閉止状態の側面断面図
【図３】同電気掃除機本体の集塵部蓋全開状態の側面断面図
【図４】同電気掃除機の回動軸周辺の集塵部蓋全開状態の詳細断面図
【図５】同電気掃除機本体の集塵部蓋全開状態の全体斜視図
【図６】同電気掃除機の回動軸周辺の拡大斜視図
【図７】本発明の実施の形態２を示す電気掃除機の回動軸周辺の拡大斜視図
【図８】同電気掃除機の図７のＡ−Ａ断面図
【図９】従来の電気掃除機のねじりコイルバネ取付け部分の正面図
【符号の説明】
【００３４】
１    掃除機本体
２    電動送風機
４    集塵室
８    開口部
９    集塵部蓋
１０  回動軸
１３  ねじりコイルバネ（付勢手段）
１６  尾錠
【図１】
2007105152.tif 000003
【図２】
2007105152.tif 000004
【図３】
2007105152.tif 000005
【図４】
2007105152.tif 000006
【図５】
2007105152.tif 000007
【図６】
2007105152.tif 000008
【図７】
2007105152.tif 000009
【図８】
2007105152.tif 000010
【図９】
2007105152.tif 000011